(57)【要約】【課題】画像情報が表示される画面の中に、更新される表示装置の状態情報を反映させて重ねて表示することを目的とする。【解決手段】本体装置から送信される画像情報をディスプレイに表示する表示装置であって、前記表示装置の状態に関する監視対象の状態情報を取得する取得部と、前記取得部から周期的に前記状態情報を取得することに応じて前記状態情報を記憶する更新テーブルを更新させ、前記更新テーブルに記憶した状態情報を視覚的に表示する状態表示情報を更新して所定の期間、画像情報に重ねて表示させる制御部と、を有する表示装置が提供される。【選択図】図４
2016031456.tif 000002
【特許請求の範囲】
【請求項１】
本体装置から送信される画像情報をディスプレイに表示する表示装置であって、
前記表示装置の状態に関する監視対象の状態情報を取得する取得部と、
前記取得部から周期的に状態情報を取得することに応じて前記状態情報を記憶する更新テーブルを更新させ、前記更新テーブルに記憶した状態情報を視覚的に表示する状態表示情報を更新して所定の期間、画像情報に重ねて表示させる制御部と、
を有する表示装置。
【請求項２】
前記監視対象は複数あり、
前記制御部は、
前記複数の監視対象のうちのいずれかの状態情報が取得される毎に前記更新テーブルを更新させ、前記状態表示情報を画像情報に重ねて表示する指示を検出することに応じて前記更新テーブルに記憶した複数の状態情報を視覚的に表示する複数の前記状態表示情報を更新して所定の期間、画像情報に重ねて表示させる、
請求項１に記載の表示装置。
【請求項３】
本体装置から送信される画像情報をディスプレイに表示する表示装置に組み込まれる表示制御回路であって、
前記表示装置の状態に関する監視対象の状態情報を取得するマイクロコンピュータと、
前記マイクロコンピュータから周期的に前記状態情報を取得することに応じて前記状態情報を記憶する更新テーブルを更新させ、前記更新テーブルに記憶した状態情報を視覚的に表示する状態表示情報を更新して所定の期間、画像情報に重ねて表示させるプロセッサと、
を有する表示制御回路。
【発明の詳細な説明】
【技術分野】
【０００１】
本発明は、表示装置及び表示制御回路に関する。
【背景技術】
【０００２】
装置に設けられたディスプレイの画面の中に、例えば、その装置がもつバッテリの残量表示やバックライトの輝度の設定値を表示し、装置を操作するユーザに通知する表示方法が知られている（例えば、特許文献１及び特許文献２参照）。バッテリの残量表示や輝度の設定値等の装置の状態を示すアイコンをディスプレイ上の画像情報に重ねて表示させる表示方法をＯＳＤ（Ｏｎ−Ｓｃｒｅｅｎ  Ｄｉｓｐｌａｙ）表示ともいう。
【先行技術文献】
【特許文献】
【０００３】
【特許文献１】特開２００１−２２８９４２号公報
【特許文献２】実用新案登録第３０７０９３３号公報
【発明の概要】
【発明が解決しようとする課題】
【０００４】
ユーザ操作により表示装置の状態を表示することが要求されたとき、本体装置から取り外し可能な表示装置の場合、表示装置のプロセッサが、表示装置の状態を示すアイコンを画像情報に重ねてディスプレイに表示する制御を行う。
【０００５】
しかしながら、本体装置のプロセッサ及び表示装置のプロセッサ間では常に画像情報が転送され、ディスプレイに表示される。このように、本体装置から取り外し可能な表示装置の場合、本体装置のプロセッサから表示装置のプロセッサに画像情報を送り、表示装置のプロセッサが画像情報の表示制御を行うため、表示装置のプロセッサの処理の負荷が高い。
【０００６】
一方、表示装置の状態は常に変化する。よって、表示装置のプロセッサが、表示装置の状態情報を常に管理し、変化した最新の表示装置の状態情報をＯＳＤ表示することが好ましい。
【０００７】
そこで、一側面では、本発明は、画像情報が表示される画面の中に、更新される表示装置の状態情報を反映させて重ねて表示することを目的とする。
【課題を解決するための手段】
【０００８】
一つの案では、本体装置から送信される画像情報をディスプレイに表示する表示装置であって、前記表示装置の状態に関する監視対象の状態情報を取得する取得部と、前記取得部から周期的に前記状態情報を取得することに応じて前記状態情報を記憶する更新テーブルを更新させ、前記更新テーブルに記憶した状態情報を視覚的に表示する状態表示情報を更新して所定の期間、画像情報に重ねて表示させる制御部と、を有する表示装置が提供される。
【発明の効果】
【０００９】
一態様によれば、画像情報が表示される画面の中に、更新される表示装置の状態情報を反映させて重ねて表示することができる。
【図面の簡単な説明】
【００１０】
【図１】一実施形態にかかる本体装置のハードウェア構成の一例を示した図。
【図２】一実施形態にかかる表示装置のハードウェア構成の一例を示した図。
【図３】一実施形態にかかる表示装置の状態を示すアイコンの一例を示した画面例。
【図４】一実施形態にかかる表示装置に組み込まれた表示制御回路の一例を示した図。
【図５】一実施形態にかかるＵＳＢマイコンのレジスタ及びデコーダプロセッサの更新テーブルの一例を示した図。
【図６】一実施形態にかかるＵＳＢマイコンと電源制御マイコンのＢＵＳＹ信号の一例を示した図。
【図７】一実施形態にかかる表示装置の機能構成の一例を示した図。
【図８】一実施形態にかかるバッテリ管理処理の一例を示したフローチャート。
【図９】一実施形態にかかるバックライト制御処理の一例を示したフローチャート。
【図１０】一実施形態にかかるバックライト制御テーブルの一例を示した図。
【図１１】一実施形態にかかるＯＳＤ表示処理の一例を示したフローチャート。
【図１２】一実施形態にかかるデコーダプロセッサがＵＳＢマイコンから取得する情報の一例を示した図。
【図１３】一実施形態にかかるＯＳＤ表示の一例を示した画面例。
【発明を実施するための形態】
【００１１】
以下、本発明の実施形態について添付の図面を参照しながら説明する。なお、本明細書及び図面において、実質的に同一の機能構成を有する構成要素については、同一の符号を付することにより重複した説明を省く。
【００１２】
（はじめに）
以下では、本発明の一実施形態にかかる情報処理装置について説明する。一実施形態にかかる情報処理装置は、本体装置と本体装置から取り外し可能な表示装置とを有する。表示装置と本体装置とは物理的に着脱可能なドッキング構造を有する。かかる構成により、本実施形態にかかる情報処理装置は、表示装置を本体装置にドッキングさせて一体的に使用したり、表示装置を本体装置から取り外して使用したりすることができる。
【００１３】
本実施形態にかかる情報処理装置では、本体装置が画像情報を送信する送信側機器となり、表示装置が本体装置から送信された画像情報を受信する受信側機器となる。つまり、本体装置はアクセスポイント（ＡＰ）として動作し、表示装置はステーション（ＳＴＡ）として動作する。
【００１４】
以下では、本体装置及び表示装置のハードウェア構成について説明する。次に、本体装置及び表示装置の機能構成について説明する。その後、バッテリ管理処理、バックライト制御処理、ＯＳＤ表示処理について説明する。
【００１５】
［本体装置のハードウェア構成］
まず、本発明の一実施形態にかかる本体装置１のハードウェア構成について、図１を参照しながら説明する。図１は、一実施形態にかかる本体装置１のハードウェア構成の一例を示した図である。
【００１６】
本実施形態にかかる本体装置１は、ＣＰＵ（Central Processing Unit）１０１、ＭａｉｎＭｅｍｏｒｙ１０２、ＨＤＤ（Hard Disk Drive）１０３及びＳｌｉｍ−ＯＤＤ（Optical Disk Drive）１０４を有している。また、本体装置１は、ＷＬＡＮ１０５、ＬＡＮ１０６、アンテナ１０７及びＳｕｐｅｒＩＯ（Input/Output）１０８を有している。また、本体装置１は、ＢＩＯＳ（Basic Input/Output System）メモリ１０９、ＨＤＭＩ（High Definition Multimedia Interface  登録商標）１１０及びＤＶＩ（Digital Visual Interface）１１１を有している。さらに、本体装置１は、ＵＳＢＣＮＴ（Universal Serial Bus CoNTroller）１１２、ＵＳＢＣＮＴ１１３及びＰｏｗｅｒＳｕｐｐｌｙＵｎｉｔ１１４を有している。
【００１７】
加えて、本実施形態にかかる本体装置１は、エンコーダプロセッサ（Ｅｎｃｏｄｅｒ  Ｐｒｏｃｅｓｓｏｒ）２０２、ＭａｉｎＭｅｍｏｒｙ２０３、ＷＬＡＮ２０４、アンテナ２０５、ＮＡＮＤ  Ｆｌａｓｈメモリ２０６、ＳＰＩ−ＲＯＭ２０７及びドッキング構造２１２を有する。
【００１８】
ＣＰＵ１０１は、本体装置１における主な処理回路の一例である。ＭａｉｎＭａｍｏｒｙ１０２、ＨＤＤ１０３及びＳｌｉｍ−ＯＤＤ１０４は、ＣＰＵ１０１とバスで接続されている。また、ＷＬＡＮ１０５、ＬＡＮ１０６、ＳｕｐｅｒＩＯ１０８、ＢＩＯＳメモリ１０９、ＨＤＭＩ１１０、ＤＶＩ１１１、ＵＳＢＣＮＴ１１２及びＵＳＢＣＮＴ１１３は、ＣＰＵ１０１とバスで接続されている。ＷＬＡＮ１０５は、アンテナ１０７と接続されている。ＰｏｗｅｒＳｕｐｐｌｙＵｎｉｔ１１４は、ＣＰＵ１０１等の各部に電力を供給する電源である。図１では、ＰｏｗｅｒＳｕｐｐｌｙＵｎｉｔ１１４から各部への電力供給用の線は図示していない。
【００１９】
ＨＤＤ１０３は、プログラムやデータを格納している不揮発性の記憶装置である。ＨＤＤ１０３には、情報処理装置全体を制御するための基本のアプリケーション（プログラム）が保存されている。ＨＤＤ１０３に格納されるプログラムやデータには、装置全体を制御する基本ソフトウェアであるＯＳ、及びＯＳ上において各種機能を提供するアプリケーションソフトウェアが含まれる。ＨＤＤ１０３は、ＯＳ、インストールされたアプリケーション、アンインストーラ及びレジストリなどを格納している。
【００２０】
Ｓｌｉｍ−ＯＤＤ１０４は、光ディスクドライブである。配布版のアプリケーション及びアップデートデータなどが、光ディスクで配布された場合、Ｓｌｉｍ−ＯＤＤ１０４は、配布された光ディスクからデータを読み取り、保存する。
【００２１】
ＷＬＡＮ１０５は、アンテナ１０７を介して無線通信を行う。ＷＬＡＮ１０５は、ルータを経由してインターネット等のネットワークに接続され、外部とのデータの授受を行う。ＬＡＮ１０６も同様にインターネット等のネットワークに接続され、外部とのデータの授受を行う。配布版のアプリケーション及びアップデートデータなどは、例えば、ＷＬＡＮ１０５やＬＡＮ１０６を介してダウンロードされてもよい。
【００２２】
ＳｕｐｅｒＩＯ１０８は、入出力インターフェースである。ＳｕｐｅｒＩＯ１０８には、例えば、キーボードやマウスが接続されてもよい。ＢＩＯＳメモリ１０９は、コンピュータに接続されたディスクドライブ、キーボード、ビデオカードなどを制御するプログラム群（例えば、ＢＩＯＳ）を格納した不揮発性記憶装置である。
【００２３】
ＨＤＭＩ１１０は、デジタル映像や音声を伝送させるためのインターフェースである。本実施形態では、ＨＤＭＩ１１０を介して本体装置１で保存された画像情報等が本体装置１から表示装置３側に無線伝送される。
【００２４】
ＤＶＩ１１１は、例えば、モニタと接続されてもよく、本体装置１で保存された画像情報等をモニタに出力するインターフェースである。ＵＳＢＣＮＴ１１２、１１３は、本体装置１が有するＵＳＢコネクタに接続されたＵＳＢデバイスの制御回路である。
【００２５】
ＭａｉｎＭａｍｏｒｙ２０３、ＮＡＮＤ  Ｆｌａｓｈメモリ２０６及びＳＰＩ−ＲＯＭ２０７は、エンコーダプロセッサ２０２とバスで接続されている。ＷＬＡＮ２０４は、エンコーダプロセッサ２０２とＵＳＢ（Ｕｎｉｖｅｒｓａｌ  Ｓｅｒｉａｌ  Ｂｕｓ）で接続されている。また、ＷＬＡＮ２０４は、アンテナ２０５と接続され、本体装置１の画像情報を表示装置３に送信する。
【００２６】
エンコーダプロセッサ２０２は、ＣＰＵ１０１よりも低電力でかつＣＰＵ１０１よりも単機能の処理を行うための専用プロセッサである。本体装置１の画像情報は、ＨＤＭＩ１１０を介してＣＰＵ１０１からエンコーダプロセッサ２０２に入力される。エンコーダプロセッサ２０２は、例えば、画像情報を圧縮や符号化した後、ＷＬＡＮ２０４を介して表示装置３に送信する。
【００２７】
ドッキング構造２１２は、図２に示したドッキング構造３１２と連結可能な構造を有するコネクタである。ドッキング構造２１２には複数の端子が設けられ、ドッキング構造３１２との物理的なドッキングにより本体装置１と表示装置３との電気的な接続を可能とする。
【００２８】
［表示装置のハードウェア構成］
次に、本発明の一実施形態にかかる表示装置３のハードウェア構成について、図２を参照しながら説明する。図２は、一実施形態にかかる表示装置３のハードウェア構成の一例を示した図である。
【００２９】
本実施形態にかかる表示装置３は、ＵＳＢマイコン３０１、デコーダプロセッサ（Ｄｅｃｏｄｅｒ  Ｐｒｏｃｅｓｓｏｒ）３０２、ＭａｉｎＭｅｍｏｒｙ３０３、ＵＳＢハブ３０４、ＷＬＡＮ３０５及びアンテナ３０６を有する。また、表示装置３には、電源制御マイコン３０７、スマートバッテリ３０８、スイッチ（ＳＷ）３０９ａを有する。また、表示装置３は、ＮＡＮＤ  Ｆｌａｓｈメモリ３１０、ＳＰＩ−ＲＯＭ３１１、ドッキング構造３１２及びＬＣＤパネル３１３を有する。さらに、表示装置３には、電源（ＰＷＲ）ボタン３２０、Ｍｅｎｕボタン３２１、Ｕｐ（＋）ボタン３２２、Ｄｏｗｎ（−）ボタン３２３が設けられている。
【００３０】
デコーダプロセッサ３０２は、ＵＳＢマイコン３０１、ＭａｉｎＭａｍｏｒｙ３０３、ＵＳＢハブ３０４、ＮＡＮＤ  Ｆｌａｓｈメモリ３１０及びＳＰＩ−ＲＯＭ３１１とバスで接続されている。ＷＬＡＮ３０５は、ＵＳＢハブ３０４を介してデコーダプロセッサ３０２と接続されている。ＷＬＡＮ３０５は、アンテナ３０６と接続され、本体装置１のエンコーダプロセッサ２０２から画像情報を受信する。ＵＳＢハブ３０４は、ＷＬＡＮ３０５及びデコーダプロセッサ３０２を中継する。デコーダプロセッサ３０２は、転送された画像情報の解凍や復号を行い、画像情報をＬＣＤ(Liquid Crystal Display)パネル３１３に表示する。ＬＣＤパネル３１３は、表示装置３に設けられたディスプレイ（表示部）の一例である。ドッキング構造３１２は、ドッキング構造２１２と連結可能な構造を有するコネクタである。
【００３１】
ＵＳＢマイコン３０１は、輝度制御信号に基づきＬＣＤパネル３１３を制御する。輝度制御信号は、ＬＣＤパネル３１３のバックライトのオン及びオフの情報と輝度値の情報を有する。ＵＳＢマイコン３０１は、輝度制御信号に基づきＬＣＤパネル３１３のバックライトのオン及びオフの制御と、バックライトの明るさの調整を行う。
【００３２】
電源制御マイコン３０７は、システム全体の電源管理を行う。例えば、電源制御マイコン３０７は、スマートバッテリ３０８に対して後述されるＢＵＳＹ信号を出力してスマートバッテリ３０８にアクセスし、スマートバッテリ３０８の充電制御を行う。スマートバッテリ３０８は、バッテリ残量情報等のバッテリ情報を保持することができる。
【００３３】
たとえば、ＵＳＢマイコン３０１は、ユーザによりＭｅｎｕボタン３２１が押されたとき、スマートバッテリ３０８が管理しているバッテリ情報を取得し、後述されるレジスタに保存する。ＵＳＢマイコン３０１が管理する輝度情報やバッテリ情報は、所定のタイミングにデコーダプロセッサ３０２へ送られる。
【００３４】
スイッチ３０９ａは、電源制御マイコン３０７からスマートバッテリ３０８へのアクセス要求と、ＵＳＢマイコン３０１からスマートバッテリ３０８へのアクセス要求とに応じて接続を切り替える。切り替え方法については、後述される。これにより、電源制御マイコン３０７とＵＳＢマイコン３０１とのいずれかがスマートバッテリ３０８へのアクセスを許可される。
【００３５】
デコーダプロセッサ３０２は、ＣＰＵ１０１よりも低電力でかつＣＰＵ１０１よりも単機能の処理を行うための専用プロセッサである。これにより、携帯可能な表示装置３の軽量化を図ることができる。ＮＡＮＤ  Ｆｌａｓｈメモリ３１０やＳＰＩ−ＲＯＭ３１１は、デコーダプロセッサ３０２により実行されるプログラム等、各種データやプログラムを格納する。
【００３６】
デコーダプロセッサ３０２は、アンテナ３０６を用いた無線通信における電波の状態を監視し、その際の電波のレベルを示す電波情報を保持する。デコーダプロセッサ３０２は、表示装置３の状態のうち監視対象の状態情報を取得する。本実施形態では、表示装置３の状態に関する監視対象の状態情報の一例として、輝度情報、バッテリ情報、電波情報を例に挙げる。しかしながら、監視対象の状態情報は、表示装置３の状態に関する他の情報であってもよい。
【００３７】
デコーダプロセッサ３０２は、状態情報を視覚的に表示する状態表示情報を所定の期間、ＬＣＤパネル３１３上の画像情報に重ねてＯＳＤ表示させる。デコーダプロセッサ３０２は、状態情報が更新されると、更新された状態情報を視覚的に表示する状態表示情報を表示する。これにより、所定の期間アイコン等の状態表示情報が変化することにより、ユーザは、表示装置３の状態変化を視覚的に認識できる。
【００３８】
デコーダプロセッサ３０２がＯＳＤ表示を制御するタイミングの一例としては、ユーザによりＭｅｎｕボタン３２１が押されたときにＵＳＢマイコン３０１からＯＳＤ表示要求（ＯＳＤ＿ＯＮのパルス信号）が発行されたときが挙げられる。他の例としては、ユーザにより輝度値が変更されたときや、スマートバッテリ３０８のバッテリ残量がバッテリ最大容量に対して１２％以下のときにＵＳＢマイコン３０１からＯＳＤ表示要求が発行されたときが挙げられる。ただし、ＯＳＤ表示を要求するバッテリ残量は１２％に限られず、他のパーセンテージであってもよい。また、バッテリ残量が１２％以下の場合、ユーザ操作がなくてもバッテリ残量を示すアイコンをＯＳＤ表示し、ユーザにバッテリ残量が少ないことを通知する。
【００３９】
ＯＳＤ＿ＯＮのパルス信号が発行されなくてもデコーダプロセッサ３０２がＯＳＤ表示を制御する場合としては、電波が切れそうなときや、電波が切れたときが挙げられる。これにより、電波状態が悪いことをユーザに通知することができる。なお、ユーザにより輝度値が変更されたときとは、ユーザによりＵｐ（＋）ボタン３２２、又はＤｏｗｎ（−）ボタン３２３が押され、ユーザによる輝度値の変更が指示されたときが挙げられる。このように、Ｍｅｎｕボタン３２１が、Ｕｐ（＋）ボタン３２２又はＤｏｗｎ（−）ボタン３２３が押されたとき、ＵＳＢマイコン３０１は、デコーダプロセッサ３０２に対して輝度情報やバッテリ情報のＯＳＤ表示を要求する。
【００４０】
デコーダプロセッサ３０２及びエンコーダプロセッサ２０２間では、常に画像情報が転送され、その画像情報はＬＣＤパネル３１３に表示されるようになっている。この状況においてデコーダプロセッサ３０２に画像情報の転送処理と異なる処理を行わせると、画像情報の転送処理が一時的に中断してＬＣＤパネル３１３に表示される映像品質の悪化を招くおそれがある。よって、本実施形態にかかるデコーダプロセッサ３０２は、画像情報の転送処理以外の処理を極力行わないようにし、ＬＣＤパネル３１３に表示される映像の品質の安定性を確保するようにする。
【００４１】
そこで、本実施形態では、ＵＳＢマイコン３０１が、監視対象の状態情報の一つである輝度情報の管理やバッテリ情報等の取得を行う。そして、デコーダプロセッサ３０２は、所定のタイミングにＵＳＢマイコン３０１から輝度情報及びバッテリ情報を取得する。デコーダプロセッサ３０２は、取得した輝度情報及びバッテリ情報を視覚的に表示するアイコンを画像情報に重畳させて表示する。これにより、デコーダプロセッサ３０２は、画像情報の転送処理以外の処理を極力行わないようにすることができる。
【００４２】
本実施形態では、デコーダプロセッサ３０２は、ＵＳＢマイコン３０１により取得された輝度情報のアイコン及びバッテリ残量情報のアイコンに電波情報のアイコンを加えて、表示装置３の状態を示す３つのアイコンをＬＣＤパネル３１３上の画像情報に重ねてＯＳＤ表示する。
【００４３】
［アイコン等の一例］
デコーダプロセッサ３０２が、ＬＣＤパネル３１３に表示するアイコン等の一例を、図３を参照しながら説明する。監視対象の状態情報を視覚的に表示するアイコン等の状態表示情報には、輝度値を示すゲージ長情報４０１ａを含むアイコン４０１、バッテリ残量情報４０２ａ及び充電情報４０２ｂを含むアイコン４０２及び電波情報を示すアイコン４０３が含まれる。輝度情報は、ＵＳＢマイコン３０１で管理される情報である。バッテリ残量情報は、ＵＳＢマイコン３０１がスマートバッテリ３０８から取得した情報である。電波情報を示すアイコン４０３は、デコーダプロセッサ３０２が保持している情報である。
【００４４】
アイコン４０１は、ゲージ長情報４０１ａによって輝度値を視覚的に表示する。アイコン４０１に含まれる、サイドの＋−ボタンにユーザがタッチすることでＬＣＤパネル３１３の輝度値の調整が可能である。なお、ユーザは、Ｕｐ（＋）ボタン３２２又はＤｏｗｎ（−）ボタン３２３を押して輝度値を調整することもできる。
【００４５】
アイコン４０２は、バッテリ残量情報４０２ａ及び充電情報４０２ｂを視覚的に表示する。図３では、バッテリ残量を示すアイコン４０２ａの一例として、「０％」、「１０％」、「２５％」、「５０％」、「７５％」、「１００％」の残量を示す電池が表示されている。しかし、バッテリ残量情報４０２ａは、０％〜１００％まで１％刻みで表示可能なスマートバッテリ３０８の残量情報を有する。
【００４６】
また、スマートバッテリ３０８が充電中のとき、充電情報４０２ｂのアイコンが表示される。充電されていないとき充電情報４０２ｂのアイコンは非表示になるか充電情報４０２ｂのアイコンに「×」の表示を加えて充電していないことをユーザに示す。
【００４７】
さらに、電波情報を示すアイコン４０３は、ＷＬＡＮ２０４及びＷＬＡＮ３０５の無線通信が可能な状態のとき「接続中」と表示され、電波情報を示すアイコン４０３のバーを塗潰した表示によって無線通信における電波状態（電波強度）が示される。なお、ＷＬＡＮ２０４及びＷＬＡＮ３０５の無線通信が不可能な状態のとき「圏外」のアイコン４０３が表示される。デコーダプロセッサ３０２は、これらのアイコン４０１、４０２，４０３をＬＣＤパネル３１３の画面上の画像情報に重畳させて表示する（ＯＳＤ表示）。
【００４８】
［表示制御回路］
次に、本実施形態にかかる表示装置３に組み込まれる表示制御回路の一例について説明する。表示装置３には、図４に示すように、デコーダプロセッサ３０２及びＵＳＢマイコン３０１を含む表示制御回路が組み込まれている。ＵＳＢマイコン３０１は、表示装置３の状態に関する監視対象の状態情報を取得するマイクロコンピュータの一例である。
【００４９】
デコーダプロセッサ３０２は、ＵＳＢマイコン３０１から周期的に状態情報を取得する。デコーダプロセッサ３０２は、取得した状態情報によって更新テーブルに記憶された状態情報を更新し、その更新に応じて更新テーブルに記憶した状態情報を視覚的に表示する状態表示情報を更新して所定の期間、画像情報に重ねて表示させるプロセッサの一例である。
【００５０】
ＵＳＢマイコン３０１に設けられたレジスタ３０１ａには、図５（ａ）に示すように、ＵＳＢマイコン３０１が管理する輝度情報３０１ａ１、及びＵＳＢマイコン３０１がスマートバッテリ３０８から取得するバッテリ情報３０１ａ２が記憶されている。輝度情報３０１ａ１には、ゲージ長情報が含まれている。デコーダプロセッサ３０２は、ＵＳＢマイコン３０１から輝度情報３０１ａ１を取得する。また、デコーダプロセッサ３０２は、ＵＳＢマイコン３０１からバッテリ情報３０１ａ２を取得する。バッテリ情報３０１ａ２には、バッテリが接続されているか、バッテリが何％充電されているか（バッテリ残量情報）、バッテリが充電中か等の情報が含まれる。
【００５１】
デコーダプロセッサ３０２が取得した輝度情報３０１ａ１及びバッテリ情報３０１ａ２は、図５（ｂ）に示す更新テーブル５００に記憶される。図５（ｂ）に示す更新テーブル５００は、デコーダプロセッサ３０２が管理する更新テーブル５００の一例を示す。更新テーブル５００には、輝度情報５０１、バッテリ情報５０２及び電波情報５０３が保持されている。デコーダプロセッサ３０２は、本体装置１との無線通信における電波強度を電波情報５０３として更新５００に記憶する。デコーダプロセッサ３０２は、ＵＳＢマイコン３０１から輝度情報３０１ａ１及びバッテリ情報３０１ａ２を取得し、取得した情報により更新テーブル５００に記憶されている輝度情報５０１及びバッテリ情報５０２を更新する。
【００５２】
図４に戻り、本実施形態にかかる表示制御回路は、Ｉ２Ｃ(Inter-Integrated Curcuit) インターフェースを有するスマートバッテリ３０８を搭載している。スマートバッテリ３０８は、内部で充放電に関する情報（すなわち、「バッテリ情報」）を管理でき、バッテリ情報を電源制御マイコン３０７及びＵＳＢマイコン３０１へ送ることができる。
【００５３】
スマートバッテリ３０８は、電源制御マイコン３０７及びＵＳＢマイコン３０１に対してスレーブ機器として機能する。つまり、電源制御マイコン３０７及びＵＳＢマイコン３０１は、スマートバッテリ３０８に対してマスタ機器として機能する。電源制御マイコン３０７及びＵＳＢマイコン３０１からスマートバッテリ３０８へＩ２Ｃを介してアクセスすることは可能であるが、その逆はできない。
【００５４】
同様に、ＵＳＢマイコン３０１は、デコーダプロセッサ３０２に対してスレーブ機器として機能する。つまり、デコーダプロセッサ３０２は、ＵＳＢマイコン３０１に対してマスタ機器として機能する。よって、デコーダプロセッサ３０２からＵＳＢマイコン３０１へＩ２Ｃを介してアクセスすることは可能であるが、その逆はできない。
【００５５】
電源制御マイコン３０７及びＵＳＢマイコン３０１は、Ｉ２Ｃを使用してスマートバッテリ３０８にアクセスを要求するとき、ＢＵＳＹ信号を発行する。例えば、電源制御マイコン３０７は、スマートバッテリ３０８の充電制御を行う際、ＵＳＢマイコン３０１に対してＢＵＳＹ信号（I2C_BUSY_EC）を「１：ＢＵＳＹ」にして発行する。例えば、ＵＳＢマイコン３０１は、スマートバッテリ３０８からバッテリ残量情報を取得する際、電源制御マイコン３０７に対してＢＵＳＹ信号（I2C_BUSY_MCU）を「０：ＢＵＳＹ」にして発行する。
【００５６】
ＮＡＮＤ  Ｇａｔｅ３０９ｂは、ＢＵＳＹ信号（I2C_BUSY_EC）とＢＵＳＹ信号（I2C_BUSY_MCU）との状態に応じて、電源制御マイコン３０７又はＵＳＢマイコン３０１を選択する。スイッチ３０９ａは、選択結果に応じて選択されたマイコンにＩ２Ｃの使用を許可するようにＩ２Ｃ＿ＭＣＵとＩ２Ｃ＿ＥＣとを切り替える。これにより、スマートバッテリ３０８へアクセス可能なマイコンをＵＳＢマイコン３０１と電源制御マイコン３０７とで切り替えることができる。
【００５７】
ＢＵＳＹ信号（I2C_BUSY_EC）とＢＵＳＹ信号（I2C_BUSY_MCU）との状態に応じたマイコンの切り替え（選択）について、図６を参照しながらさらに説明を続ける。図６は、本実施形態にかかるＵＳＢマイコン３０１と電源制御マイコン３０７のＢＵＳＹ信号の一例を示す。
【００５８】
ＵＳＢマイコン３０１が発行するＢＵＳＹ信号（I2C_BUSY_MCU）は、「０」のときアクセスは要求がされている状態を示し、「１」のときアクセスは要求されていない状態を示す。一方、電源制御マイコン３０７が発行するＢＵＳＹ信号（I2C_BUSY_EC）は、「１」のときアクセスは要求がされている状態を示し、「０」のときアクセスは要求されていない状態を示す。
【００５９】
ＢＵＳＹ信号（I2C_BUSY_MCU）が「０」、ＢＵＳＹ信号（I2C_BUSY_EC）が「０」のとき、ＵＳＢマイコン３０１はアクセスを要求し、電源制御マイコン３０７はアクセスを要求していない。このとき、ＮＡＮＤ  Ｇａｔｅ３０９ｂはＵＳＢマイコン３０１を選択し、スイッチ３０９ａの切り替えにより、ＵＳＢマイコン３０１からスマートバッテリ３０８へアクセスが可能となる。
【００６０】
ＢＵＳＹ信号（I2C_BUSY_MCU）が「０」、ＢＵＳＹ信号（I2C_BUSY_EC）が「１」のとき、ＵＳＢマイコン３０１及び電源制御マイコン３０７はともにアクセスを要求している。このとき、ＮＡＮＤ  Ｇａｔｅ３０９ｂはＵＳＢマイコン３０１を選択し、スイッチ３０９ａの切り替えにより、ＵＳＢマイコン３０１からスマートバッテリ３０８へアクセスが可能となる。
【００６１】
ただし、電源制御マイコン３０７は、システム全体の電源管理を行う。よって、例えば、温度異常や過電流等を検知した場合等、電源制御マイコン３０７が緊急性を要する場合、電源制御マイコン３０７のアクセス要求を優先させて、システム全体の電源を制御する必要がある。そこで、電源制御マイコン３０７が緊急性を要する場合、ＢＵＳＹ信号（I2C_BUSY_MCU）が「０」か否かにかかわらず、電源制御マイコン３０７はＢＵＳＹ信号（I2C_BUSY_EC）をｈｉｇｈ（すなわち、「１」）に制御し、Ｉ２Ｃ制御の権限要求（アクセス要求）を行う。このとき、ＵＳＢマイコン３０１は、Ｉ２Ｃを介したスマートバッテリ３０８へのアクセスを直ちに中断し、ＢＵＳＹ信号（I2C_BUSY_MCU）を「１」に設定する。これにより、電源制御マイコン３０７がＩ２Ｃを使用できるように切り替え、緊急時における電源制御マイコン３０７からスマートバッテリ３０８へのアクセスを可能にする。
【００６２】
ＢＵＳＹ信号（I2C_BUSY_MCU）が「１」、ＢＵＳＹ信号（I2C_BUSY_EC）が「０」のとき、ＵＳＢマイコン３０１及び電源制御マイコン３０７はともにアクセスを要求していない。このとき、ＮＡＮＤ  Ｇａｔｅ３０９ｂはＵＳＢマイコン３０１を選択する。ただし、スマートバッテリ３０８へアクセスは行われない。
【００６３】
ＢＵＳＹ信号（I2C_BUSY_MCU）が「１」、ＢＵＳＹ信号（I2C_BUSY_EC）が「１」のとき、ＵＳＢマイコン３０１はアクセスを要求しておらず、電源制御マイコン３０７はアクセスを要求している。このとき、ＮＡＮＤ  Ｇａｔｅ３０９ｂは電源制御マイコン３０７を選択し、スイッチ３０９ａの切り替えにより、電源制御マイコン３０７からスマートバッテリ３０８へアクセスが可能となる。
【００６４】
［表示装置の機能構成］
次に、本実施形態にかかる表示装置３の機能構成の一例について、図７を参照しながら説明する。図７は、本実施形態にかかる表示装置３の機能構成の一例を示す。表示装置３は、取得部３１、記憶部３２、制御部３３、表示制御部３４、無線通信部３５、バッテリ管理部３６及び輝度管理部３７を有する。
【００６５】
取得部３１は、表示装置３の状態に関する監視対象の状態情報を取得する。本実施形態では、表示装置３の状態に関する監視対象には、輝度情報、バッテリ情報、電波情報が含まれる。このうち、取得部３１は、輝度情報及びバッテリ情報を取得する。バッテリ情報は、スマートバッテリ３０８から取得される。
【００６６】
記憶部３２は、取得部３１から周期的に取得した状態情報により更新テーブル５００を更新する。記憶部３２は、複数の監視対象のうちのいずれかの状態情報が取得される毎に更新テーブル５００を更新する。
【００６７】
制御部３３は、更新テーブル５００の更新に応じて更新テーブル５００に記憶した状態情報を視覚的に表示する状態表示情報を更新して所定の期間、画像情報に重ねて表示させる。
【００６８】
表示制御部３４は、状態表示情報を更新しながら所定の期間、ＯＳＤ表示する。無線通信部３５は、無線通信により本体装置１から画像情報を受信する。
【００６９】
バッテリ管理部３６は、所定のタイミングでスマートバッテリ３０８から取得したバッテリ情報を管理する。輝度管理部３７は、輝度情報に基づき表示装置３のＬＣＤパネル３１３のバックライトの明るさを制御する。
【００７０】
なお、本実施形態では、取得部３１、バッテリ管理部３６及び輝度管理部３７の機能は、主にＵＳＢマイコン３０１により実現される。制御部３３及び表示制御部３４の機能は、主にデコーダプロセッサ３０２により実現される。記憶部３２の機能は、主にＮＡＮＤ  Ｆｌａｓｈメモリ３１０等により実現される。無線通信部３５の機能は、主にＷＬＡＮ３０５により実現される。
【００７１】
［バッテリ管理処理］
次に、本実施形態にかかるバッテリ管理処理について図８を参照して説明する。図８は、本実施形態にかかるバッテリ管理処理の一例を示したフローチャートである。なお、バッテリ管理処理は、主にＵＳＢマイコン３０１によって実行される。
【００７２】
まず、取得部３１は、電源制御マイコン３０７が発行するＢＵＳＹ信号（I2C_BUSY_EC）が「１」か否かを判定する（ステップＳ１０）。取得部３１は、ＢＵＳＹ信号（I2C_BUSY_EC）が「１」であると判定した場合、ステップＳ１６に進む。一方、取得部３１は、ＢＵＳＹ信号（I2C_BUSY_EC）が「１」でないと判定した場合、ＵＳＢマイコン３０１が発行するＢＵＳＹ信号（I2C_BUSY_MCU）に「０」を設定する（ステップＳ１２）。これにより、図６に示すように、ＵＳＢマイコン３０１が選択され、ＵＳＢマイコン３０１からスマートバッテリ３０８へアクセスが可能となる。次に、取得部３１は、スマートバッテリ３０８が保持するバッテリ情報を取得する（ステップＳ１４）。
【００７３】
次に、ステップＳ１６にて、ＢＵＳＹ信号（I2C_BUSY_MCU）に「１」を設定する（ステップＳ１６）。これにより、ＵＳＢマイコン３０１はスマートバッテリ３０８へアクセス可能な状態から、Ｒｅａｄｙ状態に遷移する。
【００７４】
次に、バッテリ管理部３６は、バッテリが放電中か否かを判定する（ステップＳ１８）。バッテリ管理部３６は、スマートバッテリ３０８がＡＣアダプタに接続されている場合、バッテリは放電中ではない（充電中）と判定し、ステップＳ１０に戻る。取得部３１は、ＢＵＳＹ信号（I2C_BUSY_EC）の状態が「１」でなければ、ＢＵＳＹ信号（I2C_BUSY_MCU）に「０」を設定し、バッテリ情報を再度読み込む（ステップＳ１０〜Ｓ１４）。
【００７５】
一方、ステップＳ１８にて、バッテリ管理部３６は、バッテリが放電中と判定した場合、バッテリ情報に含まれるバッテリ残量情報からバッテリの残量が１２％以下であるかを判定する（ステップＳ２０）。バッテリ管理部３６は、バッテリの残量が１２％よりも多いと判定した場合、ステップＳ１０に戻る。取得部３１は、ＢＵＳＹ信号（I2C_BUSY_EC）の状態を判定し、ＢＵＳＹ信号（I2C_BUSY_EC）が「１」でなければ、ＢＵＳＹ信号（I2C_BUSY_MCU）に「０」を設定し、バッテリ情報を再度読み込む（ステップＳ１０〜Ｓ１４）。
【００７６】
ステップＳ２０にて、バッテリ管理部３６は、バッテリの残量が１２％以下であると判定した場合、ＯＳＤ＿ＯＮのパルス信号を発行し（ステップＳ２２）、ステップＳ１０に戻る。このようにして、ステップＳ１０〜Ｓ２２の処理は周期的に実行される。
【００７７】
以上、本実施形態にかかるバッテリ管理処理について説明した。かかるバッテリ管理処理によれば、ＵＳＢマイコン３０１は、スマートバッテリ３０８に保持されているバッテリ情報を周期的に取得する。これにより、ＵＳＢマイコン３０１のレジスタ３０１ａに記憶されているバッテリ情報３０１ａ２は、周期的に最新のバッテリ情報に更新される（図５（ａ）参照）。このとき、ＵＳＢマイコン３０１は、スマートバッテリ３０８から取得するバッテリ情報のうち、型番等の固定情報とバッテリ残量情報などの可変情報とを選別し、固定情報が取得できていない場合には、スマートバッテリ３０８から固定情報を含むすべての情報を取得する。一方、ＵＳＢマイコン３０１は、固定情報が取得できている場合には、スマートバッテリ３０８から可変情報であるバッテリ残量情報等のバッテリ情報のみ取得する。これにより、スマートバッテリ３０８へのアクセス時間を短縮することができる。
【００７８】
また、ステップＳ２２において、ＵＳＢマイコン３０１がＯＳＤ＿ＯＮのパルス信号を発行すると、図４に示すように、ＵＳＢマイコン３０１からデコーダプロセッサ３０２にＯＳＤ＿ＯＮのパルス信号が送られる。これに応じて、デコーダプロセッサ３０２は、後述されるＯＳＤ表示処理（図１１参照）を実行する。
【００７９】
また、本実施形態では、Ｓ１４にてバッテリ情報の取得処理が開始された後、所定時間（例えば４０ｍｓ）が経過しても、スマートバッテリ３０８からバッテリ情報を取得していない場合、スマートバッテリ３０８は未接続と判断される。この場合、電源制御マイコン３０７のＢＵＳＹ信号の変化、又はユーザによるＭｅｎｕボタン３２１、Ｕｐ（＋）ボタン３２２、Ｄｏｗｎ（−）ボタン３２３の操作に応じたＯＳＤ表示要求が発行されるまで、Ｉ２Ｃへのアクセスは行われないようにする。
【００８０】
［バックライト制御処理］
次に、本実施形態にかかるバックライト制御処理について図９及び図１０を参照して説明する。図９は、本実施形態にかかるバックライト制御処理の一例を示したフローチャートである。図１０は、本実施形態にかかるバックライト制御処理において参照するバックライト制御テーブルの一例を示す。なお、バックライト制御処理は、主にＵＳＢマイコン３０１によって実行される。
【００８１】
まず、取得部３１は、ＬＣＤパネル３１３のバックライトが点灯しているかを判定する（ステップＳ３０）。取得部３１は、バックライトが点灯していないと判定した場合、バックライトが点灯するまでステップＳ３０の処理を繰り返す。
【００８２】
取得部３１は、バックライトが点灯していると判定した場合、表示装置３のローテーション制御中かを判定する（ステップＳ３２）。取得部３１は、表示装置３の筐体の回転に応じてローテーション制御が実行中であると判定した場合、ステップＳ３０に戻り、ステップＳ３０、Ｓ３２の処理を繰り返す。取得部３１は、表示装置３の筐体が回転しておらず、ローテーション制御中でないと判定した場合、タイマーがタイムアウトしているかを判定する（ステップＳ３４）。タイマーは、予め所定の期間（例えば、３０ｍｓ）にセットされ、時間を経時する。取得部３１は、タイムアウトしていないと判定した場合、ステップＳ３０に戻り、ステップＳ３０〜Ｓ３４の処理を繰り返す。取得部３１は、タイムアウトしていると判定した場合、ステップＳ３６に進み、明るさセンサ（図示せず）から外光の照度（Ｌｕｘ）の検出値を取得する。なお、明るさセンサは、表示装置３の筐体に設けられ、表示装置３が置かれている場所の外光の照度を検出するセンサの一例である。
【００８３】
次に、輝度管理部３７は、外光の照度の検出値に基づくＰＷＭ（Ｐｕｌｓｅ  Ｗｉｄｔｈ  Ｍｏｄｕｌａｔｉｏｎ）値が現在のＰＷＭ値に等しいかを判定する（ステップＳ３８）。輝度管理部３７は、外光の照度の検出値に基づくＰＷＭ値が現在のＰＷＭ値に等しいと判定した場合、ステップＳ１０に戻り、ステップＳ１０以降の処理を実行させる。
【００８４】
一方、輝度管理部３７は、外光の照度の検出値に基づくＰＷＭ値が現在のＰＷＭ値に等しくないと判定した場合、外光の照度の検出値に基づくＰＷＭ値が現在のＰＷＭ値よりも大きいかを判定する（ステップＳ４０）。
【００８５】
ステップＳ４０にて、輝度管理部３７は、外光の照度の検出値に基づくＰＷＭ値が現在のＰＷＭ値よりも大きいと判定した場合、ＰＷＭ値のパルス幅を狭めてＰＷＭ値のデューティ比を段階的に上げ、段階的にバックライトを暗くする（ステップＳ４２）。
【００８６】
一方、輝度管理部３７は、外光の照度の検出値に基づくＰＷＭ値が現在のＰＷＭ値よりも小さいと判定した場合、ＰＷＭ値のパルス幅を広げてＰＷＭ値のデューティ比を段階的に下げ、段階的にバックライトを明るくする（ステップＳ４４）。これにより、ＬＣＤパネル３１３のバックライトは、ユーザの眼への影響を考慮して段階的に調整される。調整後の輝度情報は、ＵＳＢマイコン３０１のレジスタ３０１ａに保持される。
【００８７】
次に、輝度管理部３７は、タイマーを３０ｍｓに設定し（ステップＳ４６）、３０ｍｓ経過後、手動で輝度制御が行われたかを判定する（ステップＳ４８）。例えば、ユーザ操作によりＵｐ（＋）ボタン３２２やＤｏｗｎ（−）ボタン３２３が押されたとき、手動で輝度制御が行われたと判定される。輝度管理部３７は、手動での輝度制御は行われていないと判定した場合、ステップＳ３０に戻り、ステップＳ３０以降の処理を繰り返す。一方、ステップ４８にて、輝度管理部３７は、手動で輝度制御が行われたと判定した場合、タイマーを１０ｍｓに設定し（ステップＳ５０）、１０ｍｓ経過後、ステップＳ３０に戻り、ステップＳ３０以降の処理を繰り返す。
【００８８】
以上、本実施形態にかかるバックライト制御処理について説明した。かかるバックライト制御処理によれば、例えば、図１０のバックライト制御テーブル６００に基づき、「自動」または「手動」でバックライトの明るさのレベルが制御されてもよい。例えば、「自動」で制御されるバックライトの明るさのレベルは、表示装置３が本体装置１にドッキングされていないときと、表示装置３が本体装置１にドッキングされているときとで異なる制御にしてもよい。例えば、輝度管理部３７は、バックライト制御テーブル６００に基づき、表示装置３が本体装置１にドッキングされていないとき、検出した外光の照度に応じて明るさレベルを１２段階に分け、ＰＷＭ値を変更してもよい。例えば、外光が照度１のとき、明るさレベルを０、外光が照度５のとき、明るさレベルを１、外光が照度１０、２０・・・１００のとき、明るさレベルを２，３、・・・１１に設定してもよい。外光の検出値と明るさレベルとの関係は、予めバックライト制御テーブル６００に登録され、適宜変更され得る。
【００８９】
一方、輝度管理部３７は、表示装置３が本体装置１にドッキングされているとき、検出した外光の照度に応じた明るさレベルが０〜４であれば、外光の照度に応じた明るさレベルが５のときと同じように明るさレベルを５に設定する。また、外光の照度に応じた明るさレベルが６〜１０であれば、外光の照度に応じた明るさレベルが１１のときと同じように明るさレベルを１１に設定する。このようにしてに明るさレベルを５又は１１に設定し、ＰＷＭ値を制御してもよい。
【００９０】
また、「手動」で制御されるバックライトの明るさのレベルは、表示装置３が本体装置１にドッキングされているかどうかにかかわらず、ユーザが設定した輝度値に応じて制御される。なお、バックライト制御テーブル６００は、ＵＳＢマイコン３０１のレジスタ３０１ａに保持されてもよい。
【００９１】
［ＯＳＤ表示処理］
次に、本実施形態にかかるＯＳＤ表示処理について図１１〜図１３を参照して説明する。図１１は、本実施形態にかかるＯＳＤ表示処理の一例を示したフローチャートである。図１２は、本実施形態にかかるデコーダプロセッサ３０２がＵＳＢマイコン３０１から取得する情報の一例を示す。図１３は、本実施形態にかかるＯＳＤ表示の一例を示す。なお、ＯＳＤ表示処理は、主にデコーダプロセッサ３０２によって実行される。
【００９２】
まず、制御部３３は、ＯＳＤ＿ＯＮのパルス信号を入力したかを判定する（ステップＳ６０）。ＵＳＢマイコン３０１からＯＳＤ＿ＯＮのパルス信号が出力されていない場合、制御部３３は、ＯＳＤ＿ＯＮのパルス信号を入力していないと判定し、ＯＳＤ＿ＯＮのパルス信号が出力されるまでステップＳ６０の処理を繰り返す。
【００９３】
一方、制御部３３は、ＯＳＤ＿ＯＮのパルス信号が入力したと判定した場合、タイマーに４ｓを設定し（ステップＳ６２）、ＵＳＢマイコン３０１のレジスタ３０１ａが保持する輝度情報及びバッテリ情報を取得する（ステップＳ６４）。次に、記憶部３２は、輝度情報及びバッテリ情報の少なくともいずれかを取得する毎に更新テーブル５００を更新する（ステップＳ６６）。
【００９４】
デコーダプロセッサ３０２がＵＳＢマイコン３０１から取得する表示装置３の状態情報の一例を図１２に示す。デコーダプロセッサ３０２は、レジスタ３０１ａに記憶されている輝度情報３０１ａ１を取得する。輝度情報３０１ａ１には、ゲージ長情報が含まれる。図１２には、デコーダプロセッサ３０２が取得するゲージ長情報の一例が示されている。ここでは、ゲージ長情報は、８ビットのデータであり、−１〜−１０の１０段階のゲージ長を示す。
【００９５】
また、デコーダプロセッサ３０２は、レジスタ３０１ａに記憶されているバッテリ情報３０１ａ２を取得する。バッテリ情報３０１ａ２には、スマートバッテリ３０８が接続されているかを示す接続情報、スマートバッテリ３０８が充電中かを示す充電情報、及びスマートバッテリ３０８が何％充電されているかを示すバッテリ残量情報が含まれる。
【００９６】
図１１に戻り、次に、表示制御部３４は、更新テーブル５００に基づき、輝度情報５０１に含まれるゲージ長情報に応じた、ＬＣＤパネル３１３の輝度調整が可能なアイコン４０１（図３参照）を設定する（ステップＳ６８）。また、表示制御部３４は、更新テーブル５００に基づき、バッテリ情報５０２に含まれるバッテリ残量情報及び充電情報を視覚的に表示するアイコン４０２（図３参照）を設定する（ステップＳ６８）。また、表示制御部３４は、更新テーブル５００に基づき、電波情報５０３を示すアイコン４０３（図３参照）を設定する（ステップＳ６８）。
【００９７】
次に、表示制御部３４は、本体装置１から無線伝送される画像とアイコン４０１、４０２、４０３の画像とを合成し、表示装置３の状態を示すアイコン４０１、４０２、４０３を画像情報に重畳し、ＬＣＤパネル３１３に表示する（ステップＳ７０）。
【００９８】
次に、表示制御部３４は、タイマーがタイムアウトしているかを判定する（ステップＳ７２）。表示制御部３４は、タイマーがタイムアウトしていないと判定した場合、ステップＳ６４に戻り、ステップＳ６４〜Ｓ７２の処理を繰り返す。表示制御部３４は、タイマーがタイムアウトしたと判定した場合、アイコン４０１、４０２、４０３を非表示にし（ステップＳ７４）、ＬＣＤパネル３１３に画像情報のみ表示した状態で、本処理を終了する。
【００９９】
以上、本実施形態にかかるＯＳＤ表示処理について説明した。かかるＯＳＤ表示処理によれば、画像情報が表示される画面の中に、更新される表示装置３の状態情報を反映させて画像情報に重ねて表示することができる。具体的には、本実施形態では、所定の期間（ここでは４秒間）、ステップＳ６４〜Ｓ７２の処理が繰り返される。よって、表示制御部３４は、更新テーブル５００に記憶されている輝度情報５０１、バッテリ情報５０２及び電波情報５０３の少なくともいずれかが更新されるたびに、その時点で最新の表示装置３の状態を示すアイコンが設定され、画面にＯＳＤ表示される。このため、所定の期間で変化する表示装置３の状態をアイコン４０１、４０２、４０３の表示を変化させることでユーザに通知することができる。
【０１００】
特に、本実施形態によればＵＳＢマイコン３０１が、本実施形態の監視対象の状態情報の一つである輝度情報の管理やバッテリ残量情報等の取得を行う。そして、デコーダプロセッサ３０２は、ＵＳＢマイコン３０１から出力されたＯＳＤ＿ＯＮのパルス信号を入力したタイミングにＵＳＢマイコン３０１から輝度情報及びバッテリ残量情報を取得する。デコーダプロセッサ３０２は、取得した輝度情報及びバッテリ残量情報を視覚的に表示するアイコンを画像情報に重畳させて表示する。これにより、デコーダプロセッサ３０２は、画像情報の転送処理以外の処理を極力行わないようにすることができる。つまり、本実施形態にかかる表示装置３によれば、デコーダプロセッサ３０２に負荷をかけずに画像情報に表示装置３の状態を表示するためのアイコンを重畳してＯＳＤ表示することができる。
【０１０１】
例えば、図１３に示すように、本実施形態によれば、ＬＣＤパネル３１３上に表示される画像情報に重ねてアイコン４０１、４０２、４０３をＯＳＤ表示することができる。更に、本実施形態によれば、表示装置３の状態の変化に応じて所定の期間表示されるアイコン４０１、４０２、４０３を視覚的に変化させることで、表示装置３の最新の状態をユーザに通知することができる。例えば、更新テーブル５００に記憶されるバッテリ残量情報は１％刻みで更新される。よって、本実施形態によれば、更新テーブル５００に記憶したバッテリ残量情報を視覚的に表示するアイコン４０２を更新して所定の期間、画像情報に重ねて表示させることができる。これにより、アイコン４０２が示すバッテリ残量が、所定の期間内で２５％から２６％、２７％・・・と変化したり、バッテリ残量が２５％から２４％、２３％・・・と変化したりすることで、視覚的に表示装置３の状態をユーザに知らせることができる。
【０１０２】
なお、デコーダプロセッサ３０２がＯＳＤ表示処理を開始するタイミングとしては、スマートバッテリ３０８のバッテリ残量がバッテリ最大容量に対して１２％以下のときが挙げられるが、これに限られない。デコーダプロセッサ３０２がＯＳＤ表示処理を開始する他のタイミングとしては、ユーザによりＭｅｎｕボタン３２１が押されたとき、ユーザにより輝度値が変更されたとき、電波が切れそうなとき、電波が切れたとき等が挙げられる。ユーザにより輝度値が変更されるときの一例としては、ユーザによりＵｐ（＋）ボタン３２２又はＤｏｗｎ（−）ボタン３２３が押されたときや、アイコン４０１に含まれる、サイドの＋−ボタンにユーザがタッチしたときが挙げられる。
【０１０３】
以上、表示装置及び表示制御回路を上記実施形態により説明した。しかしながら、本発明にかかる表示装置及び表示制御回路は上記実施形態に限定されるものではなく、本発明の範囲内で種々の変形及び改良が可能である。また、上記複数の実施形態に記載された事項は、矛盾しない範囲で組み合わせることができる。また、上記表示装置及び表示制御回路の各機能は、ハードウェアにより構成されてもよく、ソフトウェアにより構成されてもよく、ハードウェアとソフトウェアとを組み合わせて構成されてもよい。
【０１０４】
以上の説明に関し、更に以下の項を開示する。
（付記１）
本体装置から送信される画像情報をディスプレイに表示する表示装置であって、
前記表示装置の状態に関する監視対象の状態情報を取得する取得部と、
前記取得部から周期的に前記状態情報を取得することに応じて前記状態情報を記憶する更新テーブルを更新させ、前記更新テーブルに記憶した状態情報を視覚的に表示する状態表示情報を更新して所定の期間、画像情報に重ねて表示させる制御部と、
を有する表示装置。
（付記２）
前記監視対象は複数あり、
前記制御部は、
前記複数の監視対象のうちのいずれかの状態情報が取得される毎に前記更新テーブルを更新させ、前記状態表示情報を画像情報に重ねて表示する指示を検出することに応じて前記更新テーブルに記憶した複数の状態情報を視覚的に表示する複数の前記状態表示情報を更新して所定の期間、画像情報に重ねて表示させる、
付記１に記載の表示装置。
（付記３）
本体装置から送信される画像情報をディスプレイに表示する表示装置に組み込まれる表示制御回路であって、
前記表示装置の状態に関する監視対象の状態情報を取得するマイクロコンピュータと、
前記マイクロコンピュータから周期的に前記状態情報を取得することに応じて前記状態情報を記憶する更新テーブルを更新させ、前記更新テーブルに記憶した状態情報を視覚的に表示する状態表示情報を更新して所定の期間、画像情報に重ねて表示させるプロセッサと、
を有する表示制御回路。
（付記４）
前記監視対象は複数あり、
前記プロセッサは、
前記複数の監視対象のうちのいずれかの状態情報が取得される毎に前記更新テーブルを更新させ、前記状態表示情報を画像情報に重ねて表示する指示を検出することに応じて前記更新テーブルに記憶した複数の状態情報を視覚的に表示する複数の前記状態表示情報を更新して所定の期間、画像情報に重ねて表示させる、
付記３に記載の表示制御回路。
【符号の説明】
【０１０５】
１：本体装置
３：表示装置
３１：取得部
３２：記憶部
３３：制御部
３４：表示制御部
３５：無線通信部
３６：バッテリ管理部
３７：輝度管理部
２０２：エンコーダプロセッサ
２０４：ＷＬＡＮ
２１２：ドッキング構造
３０１：ＵＳＢマイコン
３０１ａ：レジスタ
３０２：デコーダプロセッサ
３０５：ＷＬＡＮ
３０７：電源制御マイコン
３０８：スマートバッテリ
３０９ａ：スイッチ（ＳＷ）
３１２：ドッキング構造
３１３：ＬＣＤパネル
３２０：電源（ＰＷＲ）ボタン
３２１：Ｍｅｎｕボタン
３２２：Ｕｐ（＋）ボタン
３２３：Ｄｏｗｎ（−）ボタン
４１０、４２０，４３０  アイコン
５００：更新テーブル
５０１：輝度情報
５０２：バッテリ情報
５０３：電波情報
６００：バックライト制御テーブル
【図１】
2016031456.tif 000003
【図２】
2016031456.tif 000004
【図３】
2016031456.tif 000005
【図４】
2016031456.tif 000006
【図５】
2016031456.tif 000007
【図６】
2016031456.tif 000008
【図７】
2016031456.tif 000009
【図８】
2016031456.tif 000010
【図９】
2016031456.tif 000011
【図１０】
2016031456.tif 000012
【図１１】
2016031456.tif 000013
【図１２】
2016031456.tif 000014
【図１３】
2016031456.tif 000015